(57)【要約】【課題】半導体レーザなどの固有の特性を補正して、高品質な記録を行う。【解決手段】記録ユニット１は、情報記録のための記録光を出射するレーザダイオードＬＤと、ストラテジ信号Ｓ１０を生成するストラテジ信号生成部１０と、記録光の波形レベルの傾斜を相殺するための補正信号Ｓ１０を生成する補正信号生成部２０と、ストラテジ信号Ｓ１０及び補正信号Ｓ２０に基づいて、記録光の波形レベルの傾斜を補正できるように補正済駆動信号Ｓ３０を生成する駆動信号生成部３０とを備える。【選択図】      図１
2004326843.tif 000002
【特許請求の範囲】
【請求項１】
入力信号に基づいて、情報記録のための記録光を出射する光源と、
マーク部とスペース部とを有する記録信号を、前記マーク部の長さに応じて変調した駆動信号波形の形態を示すストラテジ信号を生成するストラテジ信号生成手段と、
前記記録光の波形レベルの傾斜を相殺するための補正信号を生成する補正信号生成手段と、
前記ストラテジ信号及び前記補正信号に基づいて、前記記録光の波形レベルの傾斜を補正できるように補正済駆動信号を生成し、前記補正済駆動信号を前記入力信号として前記光源へ供給する駆動信号生成手段と、
を備えたことを特徴とする情報記録装置。
【請求項２】
前記補正信号生成手段は、
前記記録信号のマーク部において、ライトパワーに応じた傾斜を有する傾斜信号を生成する傾斜信号生成部と、
前記傾斜信号と前記記録パワーを示すライトパワー信号とを合成して前記補正信号を出力する出力部と、
を備えることを特徴とする請求項１に記載の情報記録装置。
【請求項３】
前記駆動信号生成手段は、前記ストラテジ信号に基づいて前記補正信号をスイッチングして得た信号とバイアスパワーを示すバイアスパワー信号とを合成して前記補正済駆動信号を生成することを特徴とする請求項１又は２に記載の情報記録装置。
【請求項４】
前記ストラテジ信号は、ライトパルスを示すライトパルス信号とミドルパルスを示すミドルパルス信号とを含み、
前記補正信号生成手段は、
前記記録信号のマーク部において、ライトパワーに応じた傾斜を有する第１傾斜信号とミドルパワーに応じた傾斜を有する第２傾斜信号を生成する傾斜信号生成部と、
前記第１傾斜信号と前記ライトパワーを示すライトパワー信号とを合成して第１補正信号を出力する第１出力部と、
前記第２傾斜信号と前記ミドルパワーを示すミドルパワー信号とを合成して第２補正信号を出力する出力部とを備え、
前記第１補正信号及び前記第２補正信号を前記補正信号として出力する
ことを特徴とする請求項１に記載の情報記録装置。
【請求項５】
前記傾斜信号生成部は、
前記マーク部において所定の傾きを有する傾き信号を生成する傾き信号生成手段と、
前記傾き信号を前記ライトパワーに応じたゲインで増幅して前記第１傾斜信号を生成する第１傾斜信号生成手段と、
前記傾き信号を前記ミドルパワーに応じたゲインで増幅して前記第２傾斜信号を生成する第２傾斜信号生成手段と、
を備えたことを特徴とする請求項４に記載の情報記録装置。
【請求項６】
前記駆動信号生成手段は、前記ライトパルス信号に基づいて前記第１補正信号をスイッチングして得た信号と、前記ミドルパルス信号に基づいて前記第２補正信号をスイッチングして得た信号と、バイアスパワーを示すバイアスパワー信号とを合成して前記補正済駆動信号を生成することを特徴とする請求項４又は５に記載の情報記録装置。
【請求項７】
前記ストラテジ信号は、ライトパルスを示すライトパルス信号とイレーズパルスを示すイレーズパルス信号とを含み、
前記補正信号生成手段は、
前記記録信号のマーク部において、ライトパワーに応じた傾斜を有する第１傾斜信号を生成する第１傾斜信号生成部と、
前記第１傾斜信号と前記ライトパワーを示すライトパワー信号とを合成して第１補正信号を出力する第１出力部と、
前記イレーズパルス信号がアクティブとなる期間において、イレーズパワーに応じた傾斜を有する第２傾斜信号を生成する第２傾斜信号生成部と、
前記第２傾斜信号と前記イレーズパワーを示すイレーズパワー信号とを合成して第２補正信号を出力する出力部とを備え、
前記第１補正信号及び前記第２補正信号を前記補正信号として出力する
ことを特徴とする請求項１に記載の情報記録装置。
【請求項８】
前記駆動信号生成手段は、前記ライトパルス信号に基づいて前記第１補正信号をスイッチングして得た信号と、前記イレーズパルス信号に基づいて前記第２補正信号をスイッチングして得た信号と、バイアスパワーを示すバイアスパワー信号とを合成して前記補正済駆動信号を生成することを特徴とする請求項７に記載の情報記録装置。
【請求項９】
情報記録のための記録光を出射する光源を備える情報記録装置により実行される情報記録方法において、
マーク部とスペース部とを有する記録信号を、前記マーク部の長さに応じて変調した駆動信号波形の形態を示すストラテジ信号を生成するストラテジ信号生成工程と、
前記記録光の波形レベルの傾斜を相殺するための補正信号を生成する補正信号生成工程と、
前記ストラテジ信号及び前記補正信号に基づいて、前記記録光の波形レベルの傾斜を補正できるように補正済駆動信号を生成し、前記補正済駆動信号を前記入力信号として前記光源へ供給する補正済駆動信号生成工程と、
を備えたことを特徴とする情報記録方法。
【請求項１０】
前記補正信号生成工程は、
前記記録信号のマーク部において、ライトパワーに応じた傾斜を有する傾斜信号を生成する工程と、
前記傾斜信号と前記記録パワーを示すライトパワー信号とを合成して前記補正信号を出力する工程と、
を備えることを特徴とする請求項９に記載の情報記録方法。
【請求項１１】
前記ストラテジ信号は、ライトパルスを示すライトパルス信号とミドルパルスを示すミドルパルス信号とを含み、
前記補正信号生成工程は、
前記記録信号のマーク部において、ライトパワーに応じた傾斜を有する第１傾斜信号とミドルパワーに応じた傾斜を有する第２傾斜信号を生成する工程と、
前記第１傾斜信号と前記ライトパワーを示すライトパワー信号とを合成して第１補正信号を生成する工程と、
前記第２傾斜信号と前記ミドルパワーを示すミドルパワー信号とを合成して第２補正信号を生成する工程と、
前記第１補正信号及び前記第２補正信号を前記補正信号として出力する工程と、
を備えることを特徴とする請求項９に記載の情報記録装置。
【請求項１２】
前記ストラテジ信号は、ライトパルスを示すライトパルス信号とイレーズパルスを示すイレーズパルス信号とを含み、
前記補正信号生成工程は、
前記記録信号のマーク部において、ライトパワーに応じた傾斜を有する第１傾斜信号を生成する工程と、
前記第１傾斜信号と前記ライトパワーを示すライトパワー信号とを合成して第１補正信号を生成する工程と、
前記イレーズパルス信号がアクティブとなる期間において、イレーズパワーに応じた傾斜を有する第２傾斜信号を生成する工程と、
前記第２傾斜信号と前記イレーズパワーを示すイレーズパワー信号とを合成して第２補正信号を生成する工程と、
前記第１補正信号及び前記第２補正信号を前記補正信号として出力する工程と、
を備えたことを特徴とする請求項９に記載の情報記録方法。
【発明の詳細な説明】
【０００１】
【発明の属する技術分野】
本発明は、光ディスクへの情報記録技術に関する。
【０００２】
【従来の技術】
情報の追記、書き換えなどが可能な記録型光ディスクへの情報の記録は、レーザ光源を記録データに対応したパルス信号により駆動して記録レーザ光を生成し、これを光ディスクの情報記録面に照射することにより行われる。レーザ光源としては、例えばレーザダイオードなどの半導体レーザが使用される。レーザダイオードに通電する電流量を制御することによって、記録レーザ光のパワーが調整され、記録すべきデータに対応する記録ピット（記録マーク）が光ディスク上に形成される。
【０００３】
レーザ光源として使用される半導体レーザには固有の特性があり、半導体レーザから実際に出射されるレーザ出射波形は、その半導体レーザ自身が有する固有の特性の影響を受ける。特に、高パワー出力が可能な高速記録用の半導体レーザは、レーザ出射波形が傾斜する特性を有するものが多い。また、レーザ出射波形は、半導体レーザに電流を供給する駆動回路の特性、さらには半導体レーザと駆動回路を接続するケーブルの伝送特性等によっても影響を受ける。このようなことに起因して、実際のレーザ出射波形には、リンギングを伴うオーバーシュートやアンダーシュートを生じることが多い。
【０００４】
レーザ出射波形のオーバーシュートやアンダーシュートの対策として、レーザダイオードに並列に抵抗やコンデンサを挿入する手法が知られている。抵抗及びコンデンサにより構成されるこの種の回路はスナバー回路とも呼ばれ、レーザダイオードの駆動パルス信号における高域成分を制限して、レーザ出射波形のオーバーシュートやアンダーシュートを抑制する効果を有する。
【０００５】
【発明が解決しようとする課題】
ところで、情報記録装置では、ストラテジ情報を参照して駆動信号を生成し、これを用いてレーザダイオードを駆動する。ストラテジ情報は最適なレーザ出射波形を規定する。情報記録装置は、予めメモリに記憶されているストラテジ情報を読み出したり、あるいは、オプションとして光ディスクに記録されているストラテジ情報を読み出して駆動信号を生成する。
【０００６】
しかし、レーザ出射波形が傾斜する特性を有する半導体レーザを用いた場合、ストラテジ情報を参照して駆動信号を生成し、スナバー回路で駆動信号の周波数特性を補正しても、レーザ出射波形の傾斜成分は周波数として非常に低いので、レーザ出射波形の傾斜を補正することができない。このため、レーザ出射波形の傾斜に従って記録マークの前端から後端に向かって記録パワーが変化し、これに伴って、記録膜へ与えられる熱エネルギーが変化し、記録特性が悪くなる。
【０００７】
本発明が解決しようとする課題としては、半導体レーザなどの光源に固有の特性による影響を効果的に補正して、高品質な記録を可能とすることが一例として挙げられる。
【０００８】
【課題を解決するための手段】
請求項１に記載の発明は、情報記録装置において、入力信号に基づいて、情報記録のための記録光を出射する光源と、マーク部とスペース部とを有する記録信号を、前記マーク部の長さに応じて変調した駆動信号波形の形態を示すストラテジ信号を生成するストラテジ信号生成手段と、前記記録光の波形レベルの傾斜を相殺するための補正信号を生成する補正信号生成手段と、前記ストラテジ信号及び前記補正信号に基づいて、前記記録光の波形レベルの傾斜を補正できるように補正済駆動信号を生成し、前記補正済駆動信号を前記入力信号として前記光源へ供給する駆動信号生成手段と、を備えたことを特徴とする。
【０００９】
請求項９に記載の発明は、情報記録のための記録光を出射する光源を備える情報記録装置により実行される情報記録方法において、マーク部とスペース部とを有する記録信号を、前記マーク部の長さに応じて変調した駆動信号波形の形態を示すストラテジ信号を生成するストラテジ信号生成工程と、前記記録光の波形レベルの傾斜を相殺するための補正信号を生成する補正信号生成工程と、前記ストラテジ信号及び前記補正信号に基づいて、前記記録光の波形レベルの傾斜を補正できるように補正済駆動信号を生成し、前記補正済駆動信号を前記入力信号として前記光源へ供給する補正済駆動信号生成工程と、を備えたことを特徴とする。
【００１０】
【発明の実施の形態】
以下、図面を参照して本発明の好適な実施の形態について説明する。
【００１１】
図１に、本発明の実施形態にかかる記録ユニット１の概略構成を示す。この記録ユニット１は、光ディスクの情報記録装置などの記録部として使用されるものであり、外部から記録信号Ｓｒを受け取り、記録信号Ｓｒに基づいて生成された駆動パルス信号によりレーザダイオードＬＤを駆動して記録レーザ光を出射する。記録信号ＳｒはＮＲＺＩ信号として供給され、マーク部とスペース部とを有する。マーク部は、光ディスク２に形成されるピットに対応しており、スペース部は光ディスク２のランドに対応する。光ディスク２としては、例えば１回に限り記録が可能なＣＤ−Ｒ（Ｃｏｍｐａｃｔ  Ｄｉｓｃ−Ｒｅｃｏｒｄａｂｌｅ）又はＤＶＤ−Ｒ（Ｄｉｇｉｔａｌ  Ｖｅｒｓａｔｉｌｅ  Ｄｉｓｃ−Ｒｅｃｏｒｄａｂｌｅ）、複数回にわたって消去及び記録が可能なＣＤ−ＲＷ（Ｃｏｍｐａｃｔ  Ｄｉｓｃ−Ｒｅｗｒｉｔａｂｌｅ）又はＤＶＤ−ＲＷ（Ｄｉｇｉｔａｌ  Ｖｅｒｓａｔｉｌｅ  Ｄｉｓｃ−Ｒｅｒｅｃｏｒｄａｂｌｅ）などの種々の光ディスクを使用することができる。
【００１２】
図示のように、記録ユニット１は、ストラテジ信号生成部１０、補正信号生成部２０、駆動信号生成部３０及び光源としてのレーザダイオードＬＤとを備える。この例のレーザダイオードＬＤは、駆動信号として矩形波を入力したとき、そのレーザ出射波形が傾斜する特性を有するものとする（図７に示す補正前のレーザ出射波形参照）。ストラテジ信号生成部１０は、記録信号Ｓｒをマーク部の長さに応じて変調した駆動パルス波形を特定するストラテジ信号Ｓ１０を生成する。ストラテジとは、記録信号Ｓｒに基づいてレーザダイオードＬＤを駆動する際の駆動パルス波形の形態を示す。ストラテジとしては、例えば、１つのトップパルスと複数のマルチパルスにより構成されるマルチパルスタイプのもの、あるいは、１つのトップパルスとその後にトップパルスより低いレベルの期間を有するもの、及び１つのトップパルスと１つのラストパルスとその間の中間レベル期間とを有するものなどの、ノンマルチパルスタイプのものなどがある。なお、本発明では、どのタイプのストラテジを使用することも可能である。
【００１３】
補正信号生成部２０は、レーザダイオードＬＤから出射される記録光の波形レベルの傾斜を相殺するための補正信号Ｓ２０を生成する。また、駆動信号生成部３０は、ストラテジ信号Ｓ１０及び補正信号Ｓ２０に基づいて記録光の波形レベルの傾斜を補正できるように補正済駆動信号Ｓ３０を生成し、補正済駆動信号Ｓ３０をレーザダイオードＬＤへ供給する。
【００１４】
以上の構成において、レーザダイオードＬＤは、レーザ出射波形が傾斜する特性を有するので、駆動信号として矩形波を入力したとしても、レーザパワーが一定とならず、正確にピットを形成することができない。しかしながら、本実施形態では、補正信号Ｓ２０を用いてレーザダイオードＬＤの固有の特性を相殺できるように補正済駆動信号Ｓ３０を生成したので、理想的な記録光を得ることが可能となる。この結果、高品質な記録を実現できる。
【００１５】
レーザダイオードＬＤの駆動波形としては、２値に変調された波形と、３値に変調された波形がある。まず、２値に変調された波形としては、トップパルスとこれに続くパルストレインからなるものがあり、例えば、ＤＶＤ−ＲやＣＤ−Ｒの記録に用いられる（図７参照）。また、３値に変調された波形としては、トップパルス及びラストパルス並びにミドルパルスからなるものがあり、例えば、ＤＶＤ−ＲやＣＤ−Ｒの記録に用いられる（図９参照）。さらに、３値に変調された波形として、ライトパルス及びイレーズパルスからなるものがあり、例えば、ＤＶＤ−ＲＷやＣＤ−ＲＷの記録に用いられる（図１１参照）。
【００１６】
駆動波形が、トップパルスとこれに続くパルストレインからなる場合には、記録ユニット１を図２に示すように構成することができる。まず、ストラテジ信号生成部１０は、ストラテジ信号Ｓ１０として、ライトパワーを示すライトパワー信号ＷＰ、バイアスパワーを示すバイアスパワー信号ＢＰ、及びマーク部における駆動パルスの位置を示す駆動パルス信号ＳＰを生成する。レーザダイオードＬＤが理想的な特性を有するとした場合に、ライトパワーは駆動パルスの最大レベルを指示する一方、バイアスパワーは駆動パルスの最小レベルを指示する。
【００１７】
補正信号生成部２０は、記録信号Ｓｒのマーク部において、ライトパワーに応じた傾斜を有する傾斜信号Ｓ２１を生成する傾斜信号生成部２１と、傾斜信号Ｓ２１とライトパワーを示すライトパワー信号ＷＰとを合成して補正信号Ｓ２０を出力する出力部２２とを備える。この補正信号生成部２０によれば、ライトパワーに応じて補正信号Ｓ２０が調整される。また、駆動信号生成部３０は、ストラテジ信号Ｓ１０に基づいて補正信号Ｓ２０をスイッチングして得た信号とバイアスパワーを示すバイアスパワー信号ＢＰとを合成して補正済駆動信号Ｓ３０を生成する。
【００１８】
この記録ユニット１によれば、ライトパワーに応じてレーザ出射波形の傾きが変化するレーザダイオードＬＤの特性を補正して、理想的な記録光を得ることが可能となる。
【００１９】
駆動波形が、トップパルス及びラストパルス（以下、適宜、ライトパルスと称する）並びにミドルパルスからなるノンマルチパルスの場合には、記録ユニット１を図３に示すように構成することができる。この場合、駆動波形は凹型の形状となる（図９参照）。まず、ストラテジ信号生成部１０は、ストラテジ信号Ｓ１０として、ライトパワー信号ＷＰ、バイアスパワー信号ＢＰ、ミドルパルスのパワーを示すミドルパワー信号ＭＰ、ライトパルスの位置を示すライトパルス信号ＳＰｗ、ミドルパルスの位置を示すミドルパルス信号ＳＰｍを生成する。
【００２０】
補正信号生成部２０は、傾斜信号生成部２３、第１出力部２４、及び第２出力部２５を備える。傾斜信号生成部２３は、記録信号Ｓｒのマーク部において、ライトパワーに応じた傾斜を有する第１傾斜信号Ｓ２３ａとミドルパワーに応じた傾斜を有する第２傾斜信号Ｓ２３ｂを生成する。第１出力部２４は、第１傾斜信号Ｓ２３ａとライトパワー信号ＷＰとを合成して第１補正信号Ｓ２４を出力する。第２出力部２５は、第２傾斜信号Ｓ２３ｂとミドルパワー信号ＭＰとを合成して第２補正信号Ｓ２５を出力する。第１補正信号Ｓ２４と第２補正信号Ｓ２５は、上述した補正信号Ｓ２０に相当する。この場合、前端部及び後端部に位置するライトパルスの波形レベルと、中央部に位置するミドルパワーの波形レベルを独立して制御することができる。
【００２１】
また、駆動信号生成部３０は、ライトパルス信号ＳＰｗに基づいて第１補正信号Ｓ２４をスイッチングして得た信号と、ミドルパルス信号ＳＰｍに基づいて第２補正信号Ｓ２５をスイッチングして得た信号と、バイアスパワー信号ＢＰとを合成して補正済駆動信号Ｓ３０を生成する。
【００２２】
この記録ユニット１によれば、バイアスパワー、ミドルパワー、及びライトパワーといったように３値に変調された信号を用いてレーザダイオードＬＤを駆動する場合に、ミドルパワー及びライトパワーに応じて補正した補正済駆動信号Ｓ３０をレーザダイオードＬＤに供給するので、理想的な記録光を得ることができる。
【００２３】
ＤＶＤ−ＲＷ等の記録マークを書き換え可能な光ディスクに記録を行う場合には、ストラテジ情報として、ライトパルスとイレーズパルスからなるマルチパルスが与えられる。イレーズパルスのパワーは記録マークを消去できるように設定されており、これによって、オーバライトが可能になる。この場合、記録ユニット１を図４に示すように構成することができる。
【００２４】
まず、ストラテジ信号生成部１０は、ストラテジ信号Ｓ１０として、ライトパワー信号ＷＰ、バイアスパワー信号ＢＰ、イレーズパルスのパワーを示すイレーズパワー信号ＥＰ、ライトパルスの位置を示すライトパルス信号ＳＰｗ、イレーズパルスの位置を示すイレーズパルス信号ＳＰｅを生成する。
【００２５】
次に、補正信号生成部２０は、第１傾斜信号生成部２６、第１出力部２７、第２傾斜信号生成部２８、及び第２出力部２９を備える。第１傾斜信号生成部２６は、記録信号Ｓｒのマーク部において、ライトパワーに応じた傾斜を有する第１傾斜信号Ｓ２６を生成する。第１出力部２７は、第１傾斜信号Ｓ２６とライトパワー信号ＷＰとを合成して第１補正信号Ｓ２７を出力する。第２傾斜信号生成部２８は、イレーズパルス信号がアクティブとなる期間において、イレーズパワーに応じた傾斜を有する第２傾斜信号Ｓ２８を生成する。第２出力部２９は、第２傾斜信号Ｓ２７とイレーズパワー信号ＥＰとを合成して第２補正信号Ｓ２９を出力する。第１補正信号Ｓ２７及び第２補正信号Ｓ２９は補正信号Ｓ２０に相当する。
【００２６】
また、駆動信号生成部３０は、ライトパルス信号ＳＰｗに基づいて第１補正信号Ｓ２７をスイッチングして得た信号と、イレーズパルス信号ＳＰｅに基づいて第２補正信号Ｓ２９をスイッチングして得た信号と、バイアスパワー信号ＢＰとを合成して補正済駆動信号Ｓ３０を生成する。
【００２７】
この記録ユニット１によれば、バイアスパワー、イレーズパワー、及びライトパワーといったように３値に変調された信号を用いてレーザダイオードＬＤを駆動する場合に、イレーズパワー及びライトパワーに応じて補正した補正済駆動信号Ｓ３０をレーザダイオードＬＤに供給するので、理想的な記録光を得ることができる。
【００２８】
【実施例】
次に、本発明の好適な実施例について、図面を参照して説明する。
＜１．第１実施例＞
第１実施例は、光ディスク２としてＣＤ−Ｒ又はＤＶＤ−Ｒを用いる。レーザダイオードＬＤの駆動パルス波形としては、例えば、トップパルスと複数のマルチパルスにより構成されるマルチパルスタイプのものを想定する。図５に、本発明の第１実施例に係る情報記録再生装置の全体構成を概略的に示す。情報記録再生装置Ａは、光ディスク２に情報を記録し、また、光ディスク２から情報を再生するための装置である。
【００２９】
情報記録再生装置Ａは、光ディスク２に対して記録ビーム及び再生ビームを照射する光ピックアップ３２と、光ディスク２の回転を制御するスピンドルモータ３３と、光ディスク２への情報の記録を制御する記録制御部３４と、光ディスク２に既に記録されている情報の再生を制御する再生制御部３５と、スピンドルモータ３３の回転を制御するスピンドルサーボ、並びに光ピックアップ３２の光ディスク２に対する相対的位置制御であるフォーカスサーボ及びトラッキングサーボを含む各種サーボ制御を行うためのサーボ制御部３６と、を備える。
【００３０】
記録制御部３４は記録信号Ｓｒを受け取り、後述の処理により光ピックアップ３２内部のレーザダイオードＬＤを駆動するための補正済駆動信号Ｓ３０を生成して、これを光ピックアップ３２へ供給する。再生制御部３５は、光ピックアップ３２から出力される読取ＲＦ信号Ｓｒｆを受け取り、これに対して所定の復調処理、復号化処理などを施して再生信号を生成して出力する。
【００３１】
サーボ制御部３６は、光ピックアップ３２からの読取ＲＦ信号Ｓｒｆを受け取り、これに基づいてトラッキングエラー信号及びフォーカス信号などのサーボ信号Ｓ３１を光ピックアップ３２へ供給するとともに、スピンドルサーボ信号Ｓ３２をスピンドルモータ３３へ供給する。これにより、トラッキングサーボ、フォーカスサーボ、スピンドルサーボなどの各種サーボ処理が実行される。なお、本発明において、再生制御及びサーボ制御については既知の種々の方法が適用できるので、それらについての詳細な説明は省略する。
【００３２】
次に、記録制御について説明する。図６に、第１実施例に係る光ピックアップ３２及び記録制御部３４の主要構成を示す。また、図７に、主要構成の各部における波形を示す。なお、光ピックアップ３２及び記録制御部３４は、前述の記録ユニット１に対応する。
【００３３】
光ピックアップ３２は、記録レーザ光の光源としてのレーザダイオードＬＤを備える。この例のレーザダイオードＬＤは、駆動パルスのレベルに応じてレーザ出射波形の傾斜が変化する特性を有するものとする。記録制御部３４は、ストラテジ信号生成部１０、傾斜信号生成部２１及び出力部２２を有する補正信号生成部２０、並びに駆動信号生成部３０を備える。
【００３４】
ストラテジ信号生成部１０は、記録信号Ｓｒに基づいて、当該記録信号Ｓｒに従って記録を行うためのストラテジ信号Ｓ１０を生成する。ストラテジに関する情報は、ストラテジ情報ＳＴＲとしてストラテジ信号生成部１０に供給される。ストラテジ情報ＳＴＲは、どのタイプのストラテジを使用するか、及び、そのストラテジに従った実際の駆動パルス波形のパルス幅などの情報（例えば、トップパルスのレベル、時間幅など）の情報を含む。ストラテジ信号生成部１０は、ストラテジ情報ＳＴＲを参照して、記録信号Ｓｒから、ライトパワー信号ＷＰ、バイアスパワー信号ＢＰ、及び駆動パルス信号ＳＰを生成する。なお、この例において、ライトパワー信号ＷＰ及びバイアスパワー信号ＢＰは、ライトパワーに相当する電圧、バイアスパワーに相当する電圧を各々指示するものとする。また、図７に示すように記録信号Ｓｒのハイレベルはマーク部に対応し、ローレベルはスペース部に対応する。
【００３５】
傾斜信号生成部２１は、定電流源４０、スイッチ４１、コンデンサ４２、及びオペアンプ４３を備える。スイッチ４１は、電界効果トランジスタなどによって構成され記録信号Ｓｒ（ＮＲＺＩ信号）がローレベルのときオン状態となり、記録信号Ｓｒがハイレベルのときオフ状態となる。記録信号Ｓｒがローレベルからハイレベルに遷移すると、スイッチ４１がオン状態からオフ状態へ切り替わる。すると、記録信号Ｓｒのマーク部の開始から、定電流源４０から供給される電流がコンデンサ４２に流れ込む。オペアンプ４３の出力信号は負入力端子に帰還され、その正入力端子がコンデンサ４２に接続されているので、オペアンプ４３はボルテージフォロアとして機能し、その入力インピーダンスは極めて高い。従って、コンデンサ４２に流れ込んだ電荷は殆ど漏れることはない。また、コンデンサ４２には、一定の電流で充電が行われる。従って、接続点Ｘの電圧は直線的に増加する。ここで、定電流源４０から供給される電流の値を「Ｉ」、コンデンサ４２の容量値を「Ｃ」としたとき、オペアンプ４３から出力される傾き信号Ｓ４３はＩ／Ｃ（電圧／時間）の傾きを有する。
【００３６】
一方、記録信号Ｓｒがハイレベルからローレベルに遷移すると、スイッチ４１がオフ状態からオン状態へ切り替わる。すると、記録信号Ｓｒのスペース部において、コンデンサ４２に充電された電荷が放電される。
【００３７】
例えば、図７に示すように記録信号Ｓｒが４Ｔマーク、５Ｔスペース、９Ｔマークを含むものであるとすると、４Ｔマークの開始時刻であるｔ１から傾き信号Ｓ４３のレベルが一定の傾きで立ち上り、５Ｔスペースの開始時刻であるｔ２において、傾き信号Ｓ４３のレベルがグランドＧＮＤに戻る。また、４Ｔマークと９Ｔマークにおける傾き信号Ｓ４３の傾きは一致する。
【００３８】
ゲインコントロールアンプ４４は、ライトパワー信号ＷＰのレベルで定まる増幅率で傾き信号Ｓ４３を増幅して傾斜信号Ｓ２１を出力する。これにより。傾斜信号Ｓ２１の傾きが、ライトパワーに応じて調整される。ライトパワーに応じて傾斜信号Ｓ２１の傾きを調整したのは、出力パワーに応じてレーザ出射波形の傾きが変化するレーザダイオードＬＤの特性を補正するためである。
【００３９】
次に、出力部２２は、加算器４５と電圧−電流変換回路４６を備える。加算器４５は、傾斜信号Ｓ２１とライトパワー信号ＷＰとを加算する。電圧−電流変換回路４６は加算器４５の出力電圧を電流に変換して補正信号Ｓ２０を生成する。この補正信号Ｓ２０は、図７に示すようにライトパワー信号ＷＰに相当するライトパワー電流に傾斜信号Ｓ２１に相当する電流を加えたものである。この例では、傾斜信号Ｓ２１の極性が正極性であるため加算器４５を用いたが、傾斜信号Ｓ２１の極性が負極性である場合には、加算器４５の替わりにライトパワー信号ＷＰから傾斜信号Ｓ２１を減算する減算器を用いてもよい。換言すれば、出力部２２は、傾斜信号Ｓ２１とライトパワー信号ＷＰとを合成する機能を有するのであれば、どのように構成してもよい。
【００４０】
次に、駆動信号生成部３０は、スイッチ５０、電圧−電流変換回路５１、及び加算器５２を備える。スイッチ５０は電界効果トランジスタなどで構成され、その制御入力端子に供給される駆動パルス信号ＳＰによってオン・オフが制御される。ストラテジ信号Ｓ１０に含まれる駆動パルス信号ＳＰは、マルチパルスを構成する各パルスの位置を示し、ハイレベルでアクティブとなる。スイッチ５０は制御入力端子の電圧がハイレベルになると、オン状態となる一方、ローレベルのときオフ状態となる。従って、スイッチ５０は、駆動パルス信号ＳＰに基づいて補正信号Ｓ２０をスイッチングして、チョッパ化されたライトパルス電流ＷＰｉを加算器５２の一方の入力端子へ出力する。加算器５２の他方の入力端子には、バイアスパワー信号ＢＰを電圧−電流変換回路５１で電流に変換したバイアスパワー電流ＢＰｉが供給される。加算器５１は、スイッチ５０の出力信号とバイアスパワー電流ＢＰｉとを合成して、補正済駆動信号Ｓ３０を生成する。この補正済駆動信号Ｓ３０は、図７に示すように、バイアスパワー電流ＢＰｉにレベルが右肩上がりになるマルチパルスを重畳したものとなる。
【００４１】
この結果、レーザダイオードＬＤが図７に示すような右肩下がりの傾斜特性を有するものであっても、その傾斜特性が補正済駆動信号Ｓ３０によって補正され、図７に示すレーザ出射波形が得られる。第１実施例によれば、駆動パルスの傾斜と逆の特性を有する補正信号Ｓ２０を用いることにより、レーザダイオードＬＤの固有の特性を相殺できるように補正済駆動信号Ｓ３０を生成したので、理想的な記録光を得ることが可能となる。
【００４２】
＜２．第２実施例＞
第２実施例は、第１実施例と同様に光ディスク２としてＣＤ−Ｒ又はＤＶＤ−Ｒを用いる。レーザダイオードＬＤの駆動パルス波形としては、ライトパルスとミドルパルスとにより構成されるノンマルチパルスタイプのものを想定する。ライトパルスは記録マークの前端に位置するトップパルスと後端に位置するラストパルスとによって構成され、ミドルパルスはトップパルスとラストパルスとの間に配置される。また、ミドルパルスのレベルは、トップパルス及びラストパルスのレベルに比較して低く設定されている。但し、マーク部が短い場合には、ミドルパルスが省略され駆動パルスは１個のライトパルスで構成される。
【００４３】
第２実施例に係わる情報記録再生装置Ａの概略構成は、図５に示す第１実施例のものと同様である。但し、記録制御部３４の詳細な構成が第１実施例と相違する。図８に、第２実施例に係る光ピックアップ３２及び記録制御部３４の主要構成を示す。また、図９に、主要構成の各部における波形を示す。
【００４４】
ストラテジ情報が、ライトパルスとミドルパルスからなるノンマルチパルスの場合には、記録ユニット１を図８に示すように構成することができる。まず、ストラテジ信号生成部１０は、ストラテジ信号Ｓ１０として、ライトパワー信号ＷＰ、バイアスパワー信号ＢＰ、ミドルパルスのパワーを示すミドルパワー信号ＭＰ、ライトパルスの位置を示すライトパルス信号ＳＰｗ、ミドルパルスの位置を示すミドルパルス信号ＳＰｍを生成する。
【００４５】
傾斜信号生成部２３は、ゲインコントロールアンプ４７を備える点を除いて、第１実施例の傾斜信号生成部２１と同様に構成されている。ゲインコントロールアンプ４４はライトパワー信号ＷＰのレベルで定まる増幅率で傾き信号Ｓ４３を増幅して第１傾斜信号Ｓ２３ａを出力する一方、ゲインコントロールアンプ４７はミドルパワー信号ＷＭのレベルで定まる増幅率で傾き信号Ｓ４３を増幅して第２傾斜信号Ｓ２３ｂを出力する。これにより。第１傾斜信号Ｓ２３ａの傾きがライトパワーに応じて調整され、第２傾斜信号Ｓ２３ｂの傾きがミドルパワーに応じて調整される。レーザダイオードＬＤは出力パワーに応じて出射波形の傾斜が変化するため、ライトパワーとミドルパワーとでレーザ出射波形の傾斜が相違する。そこで、駆動パルスがノンマルチパルスタイプの場合は、ライトパワーとミドルパワーとに各々対応する第１傾斜信号Ｓ２３ａと第２傾斜信号Ｓ２３ｂとを生成し、これらを用いてレーザダイオードＬＤの特性を補正する。
【００４６】
第１出力部２４及び第２出力部２５は、第１実施例の出力部２２と同様に、加算器４５と電圧−電流変換回路４６とを備える。これらによって、第１補正信号Ｓ２４と第２補正信号Ｓ２５とが生成される。例えば、レーザダイオードＬＤの出力パワーが増加する程、レーザ出射波形の傾斜が急峻になるのであれば、図９に示すようにライトパワーに対応する第１補正信号Ｓ２４の傾きは、ミドルパワーに対応する第２補正信号Ｓ２５の傾きより大きくなる。
【００４７】
次に、駆動信号生成部３０Ｂは、スイッチ５３を追加した点を除いて、図６に示す第１実施例の駆動信号生成回路３０と同様である。スイッチ５０は、その制御入力端子に供給されるライトパルス信号ＳＰｗによってオン・オフが制御される。ストラテジ信号Ｓ１０に含まれるライトパルス信号ＳＰｗは、トップパルス及びラストパルスの位置を示し、ハイレベルでアクティブとなる。なお、図９に示すように４Ｔマークに対応する部分はミドルパルスが省略されトップパルスのみが存在する。スイッチ５０は制御入力端子の電圧がハイレベルになると、オン状態となる一方、ローレベルのときオフ状態となる。従って、スイッチ５０は、ライトパルス信号ＳＰｗに基づいて第１補正信号Ｓ２４をスイッチングして、チョッパ化された電流を加算器５２へ出力する。この結果、スイッチ５０から出力されるライトパルス電流ＷＰｉは、図９に示すようにライトパルス信号ＳＰｗがアクティブになる期間Ｔａにおいて第１傾斜信号Ｓ２４をサンプリングしたものとなる。
【００４８】
スイッチ５３は、その制御入力端子に供給されるミドルパルス信号ＳＰｍによってオン・オフが制御される。ストラテジ信号Ｓ１０に含まれるミドルパルス信号ＳＰｍは、ミドルパルスの位置を示しハイレベルでアクティブとなる。スイッチ５３は制御入力端子の電圧がハイレベルになると、オン状態となる一方、ローレベルのときオフ状態となる。従って、スイッチ５３は、ミドルパルス信号ＳＰｍに基づいて第２補正信号Ｓ２５をスイッチングして、チョッパ化された電流を加算器５２へ出力する。この結果、スイッチ５３から出力されるミドルパルス電流ＢＰｉは、図９に示すようにミドルパルス信号ＳＰｍがアクティブになる期間Ｔｂにおいて第２傾斜信号Ｓ２５をサンプリングしたものとなる。
【００４９】
加算器５２には、スイッチ５０及びスイッチ５３の各出力信号の他にバイアスパワー信号ＢＰを電圧−電流変換回路５１で電流に変換したバイアスパワー電流ＢＰｉが供給される。加算器５２は、これらの電流を合成して、補正済駆動信号Ｓ３０を生成する。この補正済駆動信号Ｓ３０は、図９に示すように、バイアスパワー電流ＢＰｉ、ライトパルス電流ＷＰｉ、及びミドルパルス電流ＭＰｉを加算したものとなる。
【００５０】
この結果、レーザダイオードＬＤが図９に示すような右肩下がりの傾斜特性を有するものであっても、その傾斜特性が補正済駆動信号Ｓ３０によって補正され、図９に示すレーザ出射波形が得られる。第２実施例によれば、バイアスレベル、ミドルレベル及びライトレベルといった３値で変調した駆動パルスをレーザダイオードＬＤに供給する場合であっても、第１補正信号Ｓ２４及び第２補正信号Ｓ２５を用いてレーザダイオードＬＤの固有の特性を相殺できるように補正済駆動信号Ｓ３０を生成したので、理想的な記録光を得ることが可能となる。
【００５１】
＜３．第３実施例＞
第３実施例は、光ディスク２としてＣＤ−ＲＷ又はＤＶＤ−ＲＷを用いる。レーザダイオードＬＤの駆動パルス波形としては、ライトパルスとイレーズパルスにより構成されるマルチパルスタイプのものを想定する。
【００５２】
第３実施例に係わる情報記録再生装置Ａの概略構成は、図５に示す第１実施例のものと同様である。但し、記録制御部３４の詳細な構成が第１実施例と相違する。図１０に、第３実施例に係る光ピックアップ３２及び記録制御部３４の主要構成を示す。また、図１１に、主要構成の各部における波形を示す。
【００５３】
ストラテジ情報が、ライトパルスとイレーズパルスからなるマルチパルスの場合には、記録ユニット１を図１０に示すように構成することができる。まず、ストラテジ信号生成部１０は、ストラテジ信号Ｓ１０として、ライトパワー信号ＷＰ、バイアスパワー信号ＢＰ、イレーズパルスのパワーを示すイレーズパワー信号ＥＰ、ライトパルス信号ＳＰｗ、イレーズパルスの位置を示すイレーズパルス信号ＳＰｅを生成する。
【００５４】
第１傾斜信号生成部２６及び第２傾斜信号生成部２８は、第１実施例の傾斜信号生成部２１と同様に構成されている。第１傾斜信号生成部２６の構成部分４０Ａ〜４４Ａ及び第２傾斜信号生成部２７の構成部分４０Ｂ〜４４Ｂは、図６に示す傾斜信号生成部２１の構成部分４０〜４４に対応している。また、第１出力部２７及び第２出力部２９は、第１実施例の出力部２２と同様に構成されている。第１出力部２７の加算器４５Ａ及び電圧−電流変換回路４６Ａ並びに第２出力部２９の加算器４５Ｂ及び電圧−電流変換回路４６Ｂは、図６に示す出力部４５の加算器４５Ｂ及び電圧−電流変換回路４６に対応している。
【００５５】
第１傾斜信号生成部２６が、記録信号Ｓｒのマーク部においてライトパワーに応じた傾斜を有する第１傾斜信号Ｓ２６を生成すると、第１出力部２７は第１傾斜信号Ｓ２６とライトパワー信号ＷＰとを合成し、これに電圧−電流変換を施して第１補正信号Ｓ２７を出力する。例えば、図１１に示すように、時刻ｔ１及び時刻ｔ４からマーク部が各々開始される場合には、第１補正信号Ｓ２７は、時刻ｔ１及び時刻ｔ４から各々立ち上がる。また、第１補正信号Ｓ２７はライトパワー信号ＷＰに相当するライトパワー電流に第１傾斜信号Ｓ２６に相当する電流を加えたものとなる。
【００５６】
次に、第２傾斜信号生成部２８は、イレーズパルスがアクティブとなる期間Ｔｅにおいてイレーズパワーに応じた傾斜を有する第２傾斜信号Ｓ２８を生成すると、第２出力部２９は第２傾斜信号Ｓ２８とイレーズパワー信号ＥＰとを合成し、これに電圧−電流変換を施して第２補正信号Ｓ２９を出力する。例えば、図１１に示すように、時刻ｔ３から時刻ｔ４までの期間Ｔｅにおいてイレーズパルスがアクティブになると、第２補正信号Ｓ２９は当該期間Ｔｅにおいてアクティブとなる。この場合、第２補正信号Ｓ２９はイレーズパワー信号ＥＰに相当するイレーズパワー電流に第２傾斜信号Ｓ２８に相当する電流を加えたものとなる。
【００５７】
次に、駆動信号生成部３０Ｃは、スイッチ５３を追加した点を除いて、図６に示す第１実施例の駆動信号生成回路３０と同様である。従って、スイッチ５０から出力されるライトパルス電流ＷＰｉは、図１１に示すようにライトパルス信号ＳＰｗがアクティブになる各期間において第１傾斜信号Ｓ２７をサンプリングしたものとなる。また、スイッチ５３から出力されるイレーズパルス電流ＥＰｉは、図１１に示すようにイレーズパルス信号ＥＰがアクティブになる期間Ｔｅにおいて第２傾斜信号Ｓ２９をサンプリングしたものとなる。
【００５８】
加算器５２には、スイッチ５０及びスイッチ５３の各出力信号の他にバイアスパワー信号ＢＰを電圧−電流変換回路５１で電流に変換したバイアスパワー電流ＢＰｉが供給される。加算器５２は、これらの電流を合成して、補正済駆動信号Ｓ３０を生成する。この補正済駆動信号Ｓ３０は、図１１に示すように、バイアスパワー電流ＢＰｉ、ライトパルス電流ＷＰｉ、及びイレーズパルス電流ＥＰｉを加算したものとなる。
【００５９】
この結果、レーザダイオードＬＤが右肩下がりの傾斜特性を有するものであっても、その傾斜特性が補正済駆動信号Ｓ３０によって補正され、図１１に示すレーザ出射波形が得られる。第３実施例によれば、バイアスレベル、イレーズレベル及びライトレベルといった３値で変調した駆動パルスをレーザダイオードＬＤに供給する場合であっても、第１補正信号Ｓ２７及び第２補正信号Ｓ２９を用いてレーザダイオードＬＤの固有の特性を相殺できるように補正済駆動信号Ｓ３０を生成したので、理想的な記録光を得ることが可能となる。
【００６０】
＜４．変形例＞
（１）上述した各実施例において、レーザダイオードＬＤは、出力パワーが増加する程、レーザ出射波形の傾きが増加するタイプを一例として取り上げて説明したが、本発明はこれに限定されるものではなく、レーザダイオードＬＤとして出力パワーが増加する程、レーザ出射波形の傾きが減少するタイプを用いてもよい。例えば、図６に示す第１実施例の構成部分４０〜４３、図８に示す第２実施例の構成部分４０〜４３、図１０に示す第３実施例の構成部分４０Ａ〜４３Ａ及び構成部分４０Ｂ〜４３Ｂの替わりに、図１２に示す傾き信号生成部１００を用いてもよい。この場合には、スイッチ６１がオフ状態になると、定電流源６０は、コンデンサ６２から矢印の向きに電流が吸い出すので、傾き信号Ｓ６３の傾斜はマイナスとなる。そして、スイッチ６１がオン状態になると、グランドＧＮＤからコンデンサ６２へ電荷が充電される。これにより、傾き信号Ｓ６３の波形は、図１３に示すようにグランドレベルＧＮＤを基準として負極性となり、レーザ出射波形の傾きが減少する場合にも、理想的な記録光を得ることができる。
【００６１】
（２）上述した第２実施例では、時間的に分割された第１補正信号Ｓ２４（トップパルス及びラストパルスに対応）と第２補正信号Ｓ２５（ミドルパルスに対応）とを生成してレーザ出射波形の傾きを補正したが、図１４に示すように、レベル方向に分割した第１補正信号Ｓ２４’と第２補正信号Ｓ２５’とを合成して補正済駆動信号Ｓ３０を生成してもよい。この場合は、マーク部の全期間においてミドルパワーに対応する第２補正信号Ｓ２５’を生成する一方、ライトパルスの位置においてミドルパワーの超過分に相当する第１補正信号Ｓ２４’を生成し、これらを加算して補正済駆動信号Ｓ３０を生成すればよい。この場合には、図８に示す記録ユニット１において、ミドルパルス信号ＳＰｍの替わりにマーク部の全期間にわたってアクティブとなる記録信号Ｓｒを供給すればよい。
【００６２】
（３）上述した各実施例又は変形例ではゲインコントロールアンプを用いて傾斜信号を生成したが、定電流源４０又は６０の電流量を、ライトパワー、ミドルパワー、あるいはイレーズパワーに応じて調整することによって、傾斜信号を生成してもよい。この場合には、ゲインコントロールアンプを省略できるので構成をより簡易にできる。また、電圧―電流変換回路をレーザダイオードＬＤの直前に設けてもよい。この場合には、電圧―電流変換回路の数を低減することができる。
【００６３】
以上説明したように、上述した実施例及び変形例によれば、レーザダイオードＬＤなどの光源が、出力波形に傾斜特性を有する場合であっても、その傾斜特性と逆の特性を有する補正信号を用いることにより、光源の固有の特性を相殺できる。これにより、そのような固有の特性による影響を排除して正確な情報記録が可能となる。
【図面の簡単な説明】
【図１】本発明の第１実施形態にかかる記録ユニットの概略構成を示すブロック図である。
【図２】本発明の第２実施形態にかかる記録ユニットの概略構成を示すブロック図である。
【図３】本発明の第３実施形態にかかる記録ユニットの概略構成を示すブロック図である。
【図４】本発明の第４実施形態にかかる記録ユニットの概略構成を示すブロック図である。
【図５】本発明の第１実施例に係る情報記録再生装置の概略構成を示すブロック図である。
【図６】第１実施例に係る光ピックアップ３２及び記録制御部３４の主要構成を示すブロック図である。
【図７】図６に示す構成部分の信号波形を示すタイミングチャートである。
【図８】第２実施例に係る光ピックアップ３２及び記録制御部３４の主要構成を示すブロック図である。
【図９】図８に示す構成部分の信号波形を示すタイミングチャートである。
【図１０】第３実施例に係る光ピックアップ３２及び記録制御部３４の主要構成を示すブロック図である。
【図１１】図１０に示す構成部分の信号波形を示すタイミングチャートである。
【図１２】変形例に係る傾き信号生成部１００の構成を示すブロック図である。
【図１３】図１２における記録信号と傾き信号との関係を示すタイミングチャートである。
【図１４】第２実施例に対応する変形例に係る信号のタイミングチャートである。
【符号の説明】
１  記録ユニット
１０  ストラテジ信号生成部
２０  補正信号生成部
２１、２３  傾斜信号生成部
２２  合成部
２４、２７  第１出力部
２５、２９  第２出力部
２６  第１傾斜信号生成部
２８  第２傾斜信号生成部
３０  駆動信号生成部
ＬＤ  レーザダイオード
【図１】
2004326843.tif 000003
【図２】
2004326843.tif 000004
【図３】
2004326843.tif 000005
【図４】
2004326843.tif 000006
【図５】
2004326843.tif 000007
【図６】
2004326843.tif 000008
【図７】
2004326843.tif 000009
【図８】
2004326843.tif 000010
【図９】
2004326843.tif 000011
【図１０】
2004326843.tif 000012
【図１１】
2004326843.tif 000013
【図１２】
2004326843.tif 000014
【図１３】
2004326843.tif 000015
【図１４】
2004326843.tif 000016